(57)【要約】【課題】輸液容器吊下げ体に吊り下げられた輸液容器の口部から穿刺針が抜け落ちるのを防止することができる輸液容器保持具を提供する。【解決手段】輸液容器Ｂを、輸液用スタンドＡのハンガー部Ａｂに取り付けられた容器吊り具２に吊り下げる。輸液容器Ｂの口部Ｂａを、ハンガー部Ａｂより下方の支柱Ａａに取り付けられた上位側の容器保持具３により容器吊り具２に吊り下げられた輸液容器Ｂの口部Ｂａを保持し、下位側の容器保持具３により輸液容器Ｂの口部Ｂａに突き刺された穿刺針Ｂｂを保持する。これにより、輸液容器Ｂの口部Ｂａから穿刺針Ｂｂが抜け落ちるのを防止することができる。また、輸液容器Ｂが前後左右へ揺動するか、上下動するのを防止することができる。また、導入管Ｃが捩れるか、絡まるのを防止することができ、点滴等の輸液が安定して行える。【選択図】図２
2009131595.tif 000002
【特許請求の範囲】
【請求項１】
輸液容器吊下げ体に吊り下げられた輸液容器の口部から穿刺針が抜け落ちるのを防止する輸液容器保持具であって、
前記輸液容器保持具は、
前記輸液容器吊下げ体の上位側取付け部に取り付けられ、前記輸液容器の上部に形成された吊り孔が引っ掛けられる容器吊り具と、
前記上位側取付け部より下方の下位側取付け部に取り付けられ、前記輸液容器の下部に形成された口部或いは該口部に突き刺された穿刺針を保持する容器保持具とを備えた
輸液容器保持具。
【請求項２】
前記容器吊り具は、
前記上位側取付け部に取り付けられる装着板と、該装着板の上端側前面に対して上下回動自在に枢着された押え板とで構成され、
前記装着板の下端側前面に、前記輸液容器の吊り孔が引っ掛けられるフックを設け、
前記装着板と押え板との間に、該押え板を装着板の前面に対して押し付けられる方向に付勢するための第１付勢手段を設け、
前記押え板の下端側に、前記押え板を装着板と対向する方向へ回動した際に、前記装着板のフックが前方に向けて突出される開口部を設けた
請求項１に記載の輸液容器保持具。
【請求項３】
前記装着板の上端側後面に、前記上位側取付け部の上面に対して押し付けられる方向に上下動される押え部材を設け、
前記装着板の下端側後面に、前記押え部材と対向して前記上位側取付け部の下面に対して係止される係止部を設けた
請求項２に記載の輸液容器保持具。
【請求項４】
前記係止部より上方の前記装着板の下端側後面に、前記上位側取付け部の下面が係止される受け部材を設けた
請求項３に記載の輸液容器保持具。
【請求項５】
前記容器保持具は、
前記下位側取付け部に取り付けられる装着具と、前記輸液容器の口部或いは穿刺針を保持する口部保持具とで構成された
請求項１に記載の輸液容器保持具。
【請求項６】
前記装着具は、
前記下位側取付け部の外面に対し該下位側取付け部を挟み込むようにして装着される一対の挟持板で構成され、
前記一対の挟持板は、該各挟持板の基端側を枢着して、前記下位側取付け部の挟み込み及び抜き取りが許容される角度に開けられた開状態と、該下位側取付け部が挟持される角度に閉じられた閉状態とに開閉自在に設け、
前記一対の挟持板の遊端側には、該各挟持板の遊端側を互いに対接された状態に固定するための固定手段を設けた
請求項５に記載の輸液容器保持具。
【請求項７】
前記口部保持具は、
前記輸液容器の口部或いは穿刺針を保持する一対の保持板で構成され、
前記一対の保持板は、該各保持板の中央部対向面を枢着して、前記輸液容器の口部或いは穿刺針の挿入・抜取りが許容される開状態と、該口部或いは穿刺針が挟持される閉状態とに開閉自在に設け、
前記一対の保持板の対向面間には、該各保持板の先端部を互いに対接される方向に付勢するための第２付勢手段を設けた
請求項５に記載の輸液容器保持具。
【請求項８】
前記一方の保持板を、前記一方の挟持板の遊端側外面に対して長手方向と平行する方向に向けてスライド自在に設けた
請求項７に記載の輸液容器保持具。
【発明の詳細な説明】
【技術分野】
【０００１】
この発明は、例えば輸液用及び点滴用のスタンド、病院用ベッド、介護用ベッド、車椅子等の輸液容器吊下げ体に輸液容器を吊り下げる際に用いられる輸液容器保持具に関する。
【背景技術】
【０００２】
前記輸液用スタンドに吊り下げられた輸液器具の穿刺針を、例えば静脈に穿刺して人体等に輸液する際に、患者が手術後の麻酔切れで痛みだして寝返りしたり、或いは、輸液しながら病院の廊下を歩行する等して、針型びん針に引き抜き力が加わると、該針型びん針が輸液容器のゴム栓から抜け落ちてしまう。そこで、前記輸液容器の口部から穿刺針が抜け落ちるのを防止する方法としては、例えば輸液用スタンドに吊り下げられた輸液容器のゴム栓に、中間チューブの一端に設けられた針型びん針を突き刺した後、輸液容器のゴム栓に、針型びん針の外周部に形成された係止凹部を係止して抜け難くする特許文献１の輸液セット用針型びん針がある。
【特許文献１】特開平９−１３１４０５号公報
【発明の開示】
【発明が解決しようとする課題】
【０００３】
しかし、特許文献１の輸液セット用針型びん針を使用しても、輸液しながら歩行する等した際に、輸液用スタンドに吊り下げられた輸液容器具が前後左右へ揺動したり、水平方向へ回転したり、上下動する等して、輸液容器の口部に突き刺された穿刺針に大きな引き抜き力が付加されるため、輸液容器の口部から穿刺針が抜け落ちるのを防止することができない。また、輸液容器が輸液用スタンドから落下したり、中間チューブが途中で捩れたり、絡まったりするため、輸液が安定して行えない。
【０００４】
この発明は前記問題に鑑み、輸液容器吊下げ体に吊り下げられた輸液容器の口部から穿刺針が抜け落ちるのを防止することができ、点滴等の輸液が中断することなく安定して行える輸液容器保持具の提供を目的とする。
【課題を解決するための手段】
【０００５】
この発明は、輸液容器吊下げ体に吊り下げられた輸液容器の口部から穿刺針が抜け落ちるのを防止する輸液容器保持具であって、前記輸液容器保持具は、前記輸液容器吊下げ体の上位側取付け部に取り付けられ、前記輸液容器の上部に形成された吊り孔が引っ掛けられる容器吊り具と、前記上位側取付け部より下方の下位側取付け部に取り付けられ、前記輸液容器の下部に形成された口部或いは該口部に突き刺された穿刺針を保持する容器保持具とを備えた輸液容器保持具であることを特徴とする。
【０００６】
この発明の態様として、前記容器吊り具は、前記上位側取付け部に取り付けられる装着板と、該装着板の上端側前面に対して上下回動自在に枢着された押え板とで構成され、前記装着板の下端側前面に、前記輸液容器の吊り孔が引っ掛けられるフックを設け、前記装着板と押え板との間に、該押え板を装着板の前面に対して押し付けられる方向に付勢するための第１付勢手段を設け、前記押え板の下端側に、前記押え板を装着板と対向する方向へ回動した際に、前記装着板のフックが前方に向けて突出される開口部を設けることができる。
【０００７】
また、この発明の態様として、前記装着板の上端側後面に、前記上位側取付け部の上面に対して押し付けられる方向に上下動される押え部材を設け、前記装着板の下端側後面に、前記押え部材と対向して前記上位側取付け部の下面に対して係止される係止部を設けることができる。
【０００８】
また、この発明の態様として、前記係止部より上方の前記装着板の下端側後面に、前記上位側取付け部の下面が係止される受け部材を設けることができる。
【０００９】
また、この発明の態様として、前記容器保持具は、前記下位側取付け部に取り付けられる装着具と、前記輸液容器の口部或いは穿刺針を保持する口部保持具とで構成することができる。
【００１０】
また、この発明の態様として、前記装着具は、前記下位側取付け部の外面に対し該下位側取付け部を挟み込むようにして装着される一対の挟持板で構成され、前記一対の挟持板は、該各挟持板の基端側を枢着して、前記下位側取付け部の挟み込み及び抜き取りが許容される角度に開けられた開状態と、該下位側取付け部が挟持される角度に閉じられた閉状態とに開閉自在に設け、前記一対の挟持板の遊端側には、該各挟持板の遊端側を互いに対接された状態に固定するための固定手段を設けることができる。
【００１１】
また、この発明の態様として、前記口部保持具は、前記輸液容器の口部或いは穿刺針を保持する一対の保持板で構成され、前記一対の保持板は、該各保持板の中央部対向面を枢着して、前記輸液容器の口部或いは穿刺針の挿入・抜取りが許容される開状態と、該口部或いは穿刺針が挟持される閉状態とに開閉自在に設け、前記一対の保持板の対向面間には、該各保持板の先端部を互いに対接される方向に付勢するための第２付勢手段を設けることができる。
【００１２】
また、この発明の態様として、前記一方の保持板を、前記一方の挟持板の遊端側外面に対して長手方向と平行する方向に向けてスライド自在に設けることができる。
【００１３】
前記輸液容器取付け部は、例えば輸液用及び点滴用のスタンド、病院用ベッド、介護用ベッド、車椅子、レール、壁部、天井部等で構成することができる。なお、スタンドは、輸液用及び点滴用のスタンドを含むものであり、キャスター付きのスタンドであってもよい。また、輸液容器は、例えば合成樹脂製の輸液バック、輸液ボトル、ガラス瓶等の容器で構成することができる。なお、輸液容器は、輸液用及び点滴用の容器を含むものである。
【発明の効果】
【００１４】
この発明によれば、輸液容器保持具の容器保持具と口部保持具とによって輸液容器吊下げ体に吊り下げられた輸液容器の口部或いは穿刺針を保持することにより、輸液容器の口部から穿刺針が抜け落ちるのを防止することができ、点滴等の輸液が中断することなく安定して行える。また、輸液容器の上部側を容器吊り具で保持し、該輸液容器の下部側を容器保持具で保持することにより、輸液しながら歩行する等しても、輸液容器吊下げ体に吊り下げられた輸液容器が前後左右へ揺動したり、水平方向へ回転したり、上下動したりせず、輸液容器が輸液容器吊下げ体から脱落するのを防止することができる。
【発明を実施するための最良の形態】
【００１５】
この発明は、輸液容器吊下げ体に吊り下げられた輸液容器の口部から穿刺針が抜け落ちるのを防止することができ、点滴等の輸液が中断することなく安定して行えるという目的を、輸液容器保持具の口部保持具によって輸液容器の口部或いは穿刺針を保持することで達成した。
【実施例】
【００１６】
この発明の一実施例を以下図面に基づいて詳述する。
【００１７】
図面は、輸液容器吊下げ体の一例である輸液用スタンドに吊り下げられた輸液容器の口部から穿刺針が抜け落ちるのを防止する際に用いられる輸液容器保持具を示している。
【００１８】
図１、図２に於いて、この輸液容器保持具１は、伸縮調節自在な機能を有する輸液用スタンドＡに吊り下げられた輸液容器Ｂの上部側を保持する容器吊り具２と、輸液容器Ｂの下部側を保持する容器保持具３とで構成される。容器吊り具２は、輸液用スタンドＡの支柱Ａａ上端に水平固定されたハンガー部Ａｂに取り付けられ、容器保持具３は、ハンガー部Ａｂより下方の支柱Ａａ外面に取り付けられる。
【００１９】
輸液容器Ｂの口部Ｂａは、合成ゴム製の栓体により閉栓されており、導入管Ｃの一端に接続された穿刺針Ｂｂ（びん針）が突き刺される。また、穿刺針Ｂｂの口部Ｂａより下方に露出された露出側外周面には、羽根状の突出部Ｂｂ１が外側に向けて左右均等に突出形成されている。また、導入管Ｃの他端には、点滴筒Ｄと、流量調節器Ｅと、静脈針Ｆとが順に接続されている（図１参照）。
【００２０】
容器吊り具２は、図３、図４にも示すように、棒状に形成されたハンガー部Ａｂの前面に取り付けられる装着板２Ａと、ハンガー部Ａｂの上面に押し付けられる板バネ等の弾性を有する板材で形成された押え部材２Ｂと、押え部材２Ｂをハンガー部Ａｂの上面に対して押し付けられる方向へネジ送りするためのネジ軸２Ｃと、ネジ軸２Ｃを締込み方向叉は緩み方向へ正逆回動するための回動操作部２Ｄと、装着板２Ａの上端側前面に対して上下回動自在に枢着された押え板２Ｅと、押え部材２Ｂの押え面２Ｂａと対向して装着板２Ａの後面に取り付けられる受け部材２Ｆとで構成される。
【００２１】
受け部材２Ｆの上端部には、棒状に形成されたハンガー部Ａｂの下面が受け止められる側面から見てＶ字状の受け溝２Ｆａを形成している。受け部材２Ｆの下端部には、後述する一対の係止部２Ａｂ，２Ａｂに対して係止される側面から見て凸状の段部２Ｆｂを形成している。また、受け部材２Ｆは、係止部２Ａｂ，２Ａｂより上方の装着板２Ａの下端側後面に対して２本のネジ２Ｆｃで固定されている。
【００２２】
装着板２Ａの下端側中央部には、輸液容器Ｂの上部中央に形成された吊り孔Ｂｃが引っ掛けられるフック２Ａａを形成している。フック２Ａａは、装着板２Ａの下端側中央部を前方から上方に向けて折り曲げて、側面から見てＵ字状に形成している。
【００２３】
装着板２Ａの下端側両側部には、装着板２Ａの後面に取り付けられた受け部材２Ｆの段部２Ｆｂに対して係止される一対の係止部２Ａｂ，２Ａｂを形成している。係止部２Ａｂ，２Ａｂは、装着板２Ａの下端側両側部を後方に向けて略直角に折り曲げた後、その折り曲げ側端部を上方に向けて略直角に折り曲げて、側面から見てＪ字状に形成している。
【００２４】
なお、容器吊り具２を、板状に形成されたハンガー部Ａｂに取り付ける場合、図９に示すように、受け部材２Ｆを装着板２Ａの後面から取り外した後、装着板２Ａの係止部２Ａｂ，２Ａｂをハンガー部Ａｂの下縁部に対して直接係止すればよい。
【００２５】
装着板２Ａの上端部には、ハンガー部Ａｂの上面に対して対向される支持部２Ａｃを形成している。支持部２Ａｃは、装着板２Ａの上端部を後方に向けて略直角に折り曲げて、受け部材２Ｆの受け溝２Ｆａに係止されたハンガー部Ａｂの上面と直交して形成している。
【００２６】
押え部材２Ｂは、支持部２Ａｃより下方に突出されたネジ軸２Ｃの下端部に固定され、ネジ軸２Ｃは、回動操作部２Ｄの軸中心に形成されたネジ孔２Ｄａに対して垂直に螺合され、回動操作部２Ｄは、支持部２Ａｃの中央面に形成された受け孔２Ａｄに対して水平回動自在に保持されている。つまり、押え部材２Ｂは、回動操作部２Ｄの回動操作によって受け部材２Ｆの受け溝２Ｆａに係止されたハンガー部Ａｂの上面に対して押し付けられる下方向と、ハンガー部Ａｂの上面から離間される上方向とに上下動される。
【００２７】
押え部材２Ｂの押え面２Ｂａは、装着板２Ａの後方側（図４に示す左側）から前方側（図４に示す右側）に向けて徐々に高くなる角度に傾斜している。
【００２８】
容器吊り具２を、輸液用スタンドＡのハンガー部Ａｂに取り付ける際には、装着板２Ａに固定された受け部材２Ｆの受け溝２Ｆａにハンガー部Ａｂの下面を係止し、回動操作部２Ｄの回動操作によって押え部材２Ｂの押え面２Ｂａを、受け部材２Ｆの受け溝２Ｆａに係止されたハンガー部Ａｂの上面に押え付けて仮止めする。
【００２９】
この後、容器吊り具２を、ハンガー部Ａｂに沿って左右方向へ水平移動させ、所望する吊り下げ位置にスライド調節した後、回動操作部２Ｄを締込み方向へ回動操作して、押え部材２Ｂの押え面２Ｂａをハンガー部Ａｂの上面に強く押し付ける。その押し付け時に生じる反力によって、受け部材２Ｆの受け溝２Ｆａをハンガー部Ａｂの前面に押し付け、押え部材２Ｂと受け部材２Ｆとでハンガー部Ａｂを挟持する。これにより、容器吊り具２を、ハンガー部Ａｂに対して強固に固定することができる。
【００３０】
押え板２Ｅは、装着板２Ａの前面全体が覆われる大きさ及び形状に形成されており、押え板２Ｅの横幅より長尺に形成された支軸２Ｅｂを、該押え板２Ｅの上端部に形成された筒状の軸受部２Ｅａに挿通し、軸受部２Ｅａの両端部に突出された支軸２Ｅｂの両端部を、装着板２Ａの上端側両側部を前方へ折り曲げて形成した一対の軸受片２Ａｅ，２Ａｅで軸受している。
【００３１】
つまり、押え板２Ｅは、支軸２Ｅｂを中心として、輸液容器Ｂの吊り孔Ｂｃが装着板２Ａのフック２Ａａに対して引っ掛け許容及び抜き取り許容される開状態（図５に示す仮想線参照）と、輸液容器Ｂの吊り孔Ｂｃが装着板２Ａのフック２Ａａから抜き取り阻止される閉状態（図５に示す実線参照）とに上下回動自在に設けられている。また、装着板２Ａと押え板２Ｅとの間の支軸２Ｅｂに装着されたバネ２Ｅｃの復元力により、装着板２Ａの前面に対して押し付けられる方向へ回動付勢されている。
【００３２】
また、押え板２Ｅの下端側中央部には、装着板２Ａのフック２Ａａと対向して、該フック２Ａａの突出が許容される開口部２Ｅｄを開口している。つまり、押え板２Ｅを閉状態に回動すると、装着板２Ａのフック２Ａａが押え板２Ｅの開口部２Ｅｄより前方へ突出される。
【００３３】
容器保持具３は、図６、図７、図８にも示すように、輸液用スタンドＡのハンガー部Ａｂより下方で、支柱Ａａ全長に対して所望する高さ位置に取り付けられる装着具３Ａと、容器吊り具２に吊り下げられた輸液容器Ｂの口部Ｂａ或いは口部Ｂａに突き刺された穿刺針Ｂｂを保持するための口部保持具３Ｂとで構成される。
【００３４】
装着具３Ａは、支柱Ａａの両側外面に対し該支柱Ａａを挟み込むようにして装着される一対の挟持板３Ａ１，３Ａ２と、挟持板３Ａ１，３Ａ２を支柱Ａａの両側外面に対して押し付けられる方向へ締め付けるためのボルト３Ａｂと、ボルト３Ａｂの遊端側に螺合されるツマミ３Ａｃとで構成される。
【００３５】
挟持板３Ａ１，３Ａ２は、該挟持板３Ａ１，３Ａ２の基端側を連結する支軸３Ａａを中心として、支柱Ａａの挟み込み及び抜き取りが許容される角度に開けられた開状態（図８参照）と、支柱Ａａが挟持される角度に閉じられた閉状態（図７参照）とに開閉自在に設けられている。
【００３６】
支柱Ａａの両側外面と対向する挟持板３Ａ１，３Ａ２の基端側対向面には、支柱Ａａの外周面と対応して滑らかな曲面を有する半円形の挟持面３Ａｈを形成している。挟持面３Ａｈは、支柱Ａａの半周面と合致する曲率半径に形成され、上方から見て略半円形に形成している。なお、挟持面３Ａｈの内周面には、合成ゴムで形成された接触抵抗の大きな図示しない滑り止め部材を装着してもよい。
【００３７】
挟持板３Ａ２の遊端側には、挟持板３Ａ１，３Ａ２の遊端側を互いに対接された状態に固定するためのボルト３Ａｂを回動自在に連結している。受け溝３Ａｄは、挟持板３Ａ１の長手方向と平行して形成され、ボルト３Ａｂの外径より幅広で、ツマミ３Ａｃの外径より幅狭に形成されている。
【００３８】
ボルト３Ａｂの基端部は、挟持板３Ａ１の遊端側対接面と対向して、挟持板３Ａ２の遊端側対接面に形成された孔部３Ａｅを介して該遊端側に形成された中空部３Ａｆに挿入され、中空部３Ａｆに挿入及び保持された孔部３Ａｅより大径の抜止め部３Ａｇに連結されている。つまり、ボルト３Ａｂは、孔部３Ａｅに係止された抜止め部３Ａｇを中心として、挟持板３Ａ２に形成された受け溝３Ａｄに対して差し込まれる方向及び抜き取られる方向に回動自在に設けられている。
【００３９】
容器保持具３を、ハンガー部Ａｂより下方の支柱Ａａ外面に取り付ける際には、容器保持具３の挟持板３Ａ１，３Ａ２を、支柱Ａａの両側外面に対し該支柱Ａａを挟み込むようにして装着し、挟持板３Ａ１，３Ａ２の挟持面３Ａｈ，３Ａｈを支柱Ａａの両側外面に押し付けた後、挟持板３Ａ２に連結されたボルト３Ａｂを回動して、挟持板３Ａ１に形成された受け溝３Ａｄに挿入する。
【００４０】
容器保持具３を支柱Ａａの外面に沿って長手方向へ移動させ、容器吊り具２に吊り下げられる輸液容器Ｂの口部Ｂａ或いは口部Ｂａに突き刺された穿刺針Ｂｂが口部保持具３Ｂで保持される高さ位置に上下調節した後、ボルト３Ａｂに螺合されたツマミ３Ａｃを締込み方向へ回動操作し、挟持板３Ａ１，３Ａ２を支柱Ａａの両側外面に押し付けて締付け固定する。これにより、容器保持具３を、支柱Ａａに対して取り付ける作業が簡単且つ容易に行える。
【００４１】
実施例では、一対の容器保持具３，３を、容器吊り具２に吊り下げられる輸液容器Ｂのサイズに応じて、輸液容器Ｂの口部Ｂａと穿刺針Ｂｂとが保持される上下間隔に隔てて、輸液容器Ｂの口部Ｂａが保持される高さ位置と、該口部Ｂａに突き刺された穿刺針Ｂｂとが保持される高さ位置に固定する（図６参照）。
【００４２】
口部保持具３Ｂは、図７、図８に示すように、輸液容器Ｂの口部Ｂａ或いは口部Ｂａに突き刺された穿刺針Ｂｂを保持する一対の保持板３Ｂａ，３Ｂｂで構成される。
【００４３】
保持板３Ｂａは、挟持板３Ａ２の遊端側外面部に対して長手方向と平行する方向に向けてスライド自在に取り付けられている。つまり、ネジ部材３Ｂｅを、保持板３Ｂａの基端側平面に沿って長手方向と平行して形成された長孔３Ｂａ２を介して、挟持板３Ａ２の遊端側外面部に形成されたネジ孔３Ａｊに螺合している。
【００４４】
保持板３Ｂａを、挟持板３Ａ２の遊端側外面部に沿って長手方向へスライドさせた際に、ネジ部材３Ｂｅによって保持板３Ｂａと挟持板３Ａ２とを移動不可に締め付け固定する。これにより、口部保持具３Ｂを、容器吊り具２に吊り下げられた輸液容器Ｂの口部Ｂａ或いは口部Ｂａに突き刺された穿刺針Ｂｂの位置に応じて、該口部Ｂａと穿刺針Ｂｂとが保持される長さに伸縮調節することができる。
【００４５】
一対の保持板３Ｂａ，３Ｂｂの中央部対向面は、後述する支軸３Ｂｃで開閉自在に枢着されている。つまり、保持板３Ｂａの両側縁部を保持板３Ｂｂと対向する方向へ折り曲げて形成した軸受片３Ｂａ１，３Ｂａ１と、保持板３Ｂｂの両側縁部を保持板３Ｂａと対向する方向へ折り曲げて形成した軸受片３Ｂｂ１，３Ｂｂ１とを支軸３Ｂｃで連結している。
【００４６】
一対の保持板３Ｂａ，３Ｂｂは、支軸３Ｂｃを中心として、輸液容器Ｂの口部Ｂａ或いは口部Ｂａに突き刺された穿刺針Ｂｂの挿入・抜取りが許容される開状態と、口部Ｂａ或いは穿刺針Ｂｂが径方向に挟持される閉状態とに開閉自在に設けられている（図７、図８参照）。また、支軸３Ｂｃに装着されたバネ３Ｂｄの復元力により、保持板３Ｂａ，３Ｂｂの先端部が互いに対接される方向へ回動付勢されている。
【００４７】
保持板３Ｂａ，３Ｂｂの先端部は、輸液容器Ｂの口部Ｂａ及び口部Ｂａより下方に突出された穿刺針Ｂｂの外周面と対応して滑らかな曲面に形成されており、保持板３Ｂａ，３Ｂｂを、例えば大径、中径、小径等の様々な外径寸法に形成された口部Ｂａ及び穿刺針Ｂｂの保持が許容される開角度に回動すれば、様々な外径寸法の口部Ｂａ及び穿刺針Ｂｂを安定して保持することができる。また、口部保持具３Ｂを、様々な外径寸法の口部Ｂａ及び穿刺針Ｂｂを保持するのに適したものに交換してもよい。
【００４８】
なお、保持板３Ｂａ，３Ｂｂの先端部を、口部Ｂａ及び穿刺針Ｂｂの外面形状に対応して、例えば楕円形、四角形等の所望する保持形状に形成してもよい。また、保持板３Ｂａ，３Ｂｂの先端部に、合成ゴムで形成された接触抵抗の大きな滑り止め部材を装着してもよい。
【００４９】
図示実施例は前記の如く構成するものにして、以下、輸液容器保持具１により輸液用スタンドＡに吊り下げられた輸液容器Ｂを保持する方法を説明する。
【００５０】
先ず、図１、図２にも示すように、容器吊り具２を、輸液用スタンドＡのハンガー部Ａｂに沿って水平方向へ移動させ、所望する吊り下げ位置に固定する。
【００５１】
一対の容器保持具３，３を、ハンガー部Ａｂより下方の支柱Ａａ外面に取り付けた後、支柱Ａａに沿って上下方向へ移動させ、容器吊り具２に吊り下げられる輸液容器Ｂのサイズに応じて高さ調節する。つまり、上位側の容器保持具３を、輸液容器Ｂの口部Ｂａが保持される高さ位置に固定し、下位側の容器保持具３を、輸液容器Ｂの口部Ｂａに突き刺された穿刺針Ｂｂが保持される高さ位置に固定する。
【００５２】
次に、容器吊り具２の押え板２Ｅをバネ２Ｅｃに抗して開方向（上方）へ回動した後、輸液容器Ｂの吊り孔Ｂｃを装着板２Ａのフック２Ａａに引っ掛けて吊り下げる（図４参照）。
【００５３】
この後、図４に示すように、バネ２Ｅｃの復元力により押え板２Ｅを閉方向（下方）へ回動して、装着板２Ａのフック２Ａａに引っ掛けられた輸液容器Ｂの吊り孔Ｂｃの周辺部を装着板２Ａと押え板２Ｅとで挟持する（図５参照）。また、装着板２Ａのフック２Ａａを押え板２Ｅの開口部２Ｅｄより前方へ突出して、輸液容器Ｂの吊り孔Ｂｃを装着板２Ａのフック２Ａａに引っ掛けられた状態に抜止めする。
【００５４】
これにより、輸液しながら歩行しても、輸液容器Ｂの吊り孔Ｂｃが容器吊り具２のフック２Ａａから抜け落ちるか、輸液容器Ｂ自体が水平方向へ回動するのを防止することができる。
【００５５】
次に、図６、図７、図８に示すように、上位側容器保持具３の口部保持具３Ｂにより容器吊り具２に吊り下げられた輸液容器Ｂの口部Ｂａを保持し、下位側容器保持具３の口部保持具３Ｂにより輸液容器Ｂの口部Ｂａに突き刺された穿刺針Ｂｂを保持する。
【００５６】
つまり、上位側の容器保持具３は、口部保持具３Ｂの一対の保持板３Ｂａ，３Ｂｂによって、容器吊り具２に吊り下げられた輸液容器Ｂの口部Ｂａを保持する。これにより、図２に示すように、輸液容器Ｂの上部側が容器吊り具２で保持され、輸液容器Ｂの下部側が容器保持具３で保持されることになるため、輸液容器Ｂが前後左右へ揺動したり、水平方向へ回転したり、上下動したりせず、輸液容器Ｂが輸液用スタンドＡのハンガー部Ａｂから脱落するのを防止することができる。また、導入管Ｃが捩れるか、絡まったりするのを防止することができる。
【００５７】
下位側の容器保持具３は、口部保持具３Ｂの一対の保持板３Ｂａ，３Ｂｂによって、輸液容器Ｂの口部Ｂａに突き刺された該口部Ｂａより下方に露出された穿刺針Ｂｂの露出側外周面を保持する。すなわち、穿刺針Ｂｂに形成された羽根状の突出部Ｂｂ１より下方の露出側外周面を一対の保持板３Ｂａ，３Ｂｂで保持すれば、穿刺針Ｂｂに形成された突出部Ｂｂ１が保持板３Ｂａ，３Ｂｂに係止される（図６、図８参照）。これにより、輸液容器Ｂの口部Ｂａから穿刺針Ｂｂが抜け落ちるのを防止することができ、点滴等の輸液が中断することなく安定して行える。
【００５８】
一対の容器保持具３，３は、同一の構造及び機能を有しているので、一つの容器保持具３を、容器吊り具２に吊り下げられた輸液容器Ｂの口部Ｂａと、該口部Ｂａに突き刺された穿刺針Ｂｂとを保持するための保持具として兼用することができる。これにより、一対の容器保持具３，３を、輸液容器Ｂのサイズに応じて、該輸液容器Ｂの口部Ｂａと穿刺針Ｂｂとが保持される上下間隔に隔てて取り付けることができる。また、口部専用の保持具と、針部専用の保持具とを個々に製作或いは準備する必要がなく、部品数の削減及びコストの低減を図ることができるとともに、部品の管理及び取り扱いが容易に行える。
【００５９】
この発明の構成と、前記実施例との対応において、  
この発明の輸液容器吊下げ体は、実施例の輸液用スタンドＡに対応し、  
以下同様に、  
上位側取付け部は、ハンガー部Ａｂに対応し、  
下位側取付け部は、支柱Ａａに対応し、  
第１付勢手段は、バネ２Ｅｃに対応し、  
第２付勢手段は、バネ３Ｂｄに対応し、  
固定手段は、ボルト３Ａｂに対応するも、  
この発明は、前記実施例の構成のみに限定されるものではなく、請求項に示される技術思想に基づいて応用することができ、多くの実施の形態を得ることができる。
【００６０】
実施例では、一対の容器保持具３，３で輸液容器Ｂの口部Ｂａと穿刺針Ｂｂとを保持しているが、一つの容器保持具３で輸液容器Ｂの口部Ｂａに突き刺された穿刺針Ｂｂを保持してもよい。
【産業上の利用可能性】
【００６１】
本発明の輸液容器保持具は、例えば病院用ベッド、介護用ベッド、車椅子、レール、壁部、天井部等に取り付けて使用することもできる。
【図面の簡単な説明】
【００６２】
【図１】輸液容器保持具を輸液用スタンドに取り付けた例を示す正面図。
【図２】輸液容器保持具により輸液容器を保持した状態を示す拡大正面図。
【図３】容器吊り具を棒状のハンガー部に取り付けた状態を示す拡大正面図。
【図４】輸液容器を容器吊り具に吊り下げる方法を示す縦断側面図。
【図５】輸液容器を容器吊り具に吊り下げた状態を示す縦断側面図。
【図６】容器保持具により輸液容器の口部を保持した状態を示す拡大正面図。
【図７】輸液容器の口部を保持した状態を示す横断平面図。
【図８】輸液容器の穿刺針を保持した状態を示す横断平面図。
【図９】容器吊り具を板状のハンガー部に取り付けた状態を示す縦断側面図。
【符号の説明】
【００６３】
Ａ…輸液用スタンド
Ａａ…支柱
Ａｂ…ハンガー部
Ｂ…輸液容器
Ｂａ…口部
Ｂｂ…穿刺針
Ｂｂ１…突出部
Ｂｃ…吊り孔
１…輸液容器保持具
２…容器吊り具
２Ａ…装着板
２Ａａ…フック
２Ｂ…押え部材
２Ｃ…ネジ軸
２Ｄ…回動操作部
２Ｅ…押え板
２Ｅｃ…バネ
２Ｅｄ…開口部
３…容器保持具
３Ａ…装着具
３Ａ１，３Ａ２…挟持板
３Ａｂ…ボルト
３Ｂ…口部保持具
３Ｂａ，３Ｂｂ…保持板
３Ｂｄ…バネ
【図１】
2009131595.tif 000003
【図２】
2009131595.tif 000004
【図３】
2009131595.tif 000005
【図４】
2009131595.tif 000006
【図５】
2009131595.tif 000007
【図６】
2009131595.tif 000008
【図７】
2009131595.tif 000009
【図８】
2009131595.tif 000010
【図９】
2009131595.tif 000011